(57)【要約】【課題】  紙詰まり発生時に印刷装置内に存在する用紙の印刷状態を表示することができる印刷装置を提供する。【解決手段】  印刷装置内部に設けられ、用紙の存在を検出する複数の用紙センサと、用紙センサの検出値パターンと印刷装置内部の用紙の状態とが予め関連付けられて定義された状態判定テーブルと、用紙センサの検出値に基づいて、紙詰まりを検出するともに、紙詰まり発生時における用紙センサの検出値を出力する状態検出手段と、状態判定テーブルを参照して、状態検出手段から出力された用紙センサの検出値のパターンに応じて各部位に存在する用紙の状態を判定する表示制御手段と、判定によって得られた各部位における用紙の状態を判別可能なシンボルを表示する表示手段とを備える。【選択図】    図１
2005193382.tif 000002
【特許請求の範囲】
【請求項１】
印刷装置内部に設けられ、用紙の存在を検出する複数の用紙センサと、
前記用紙センサの検出値パターンと印刷装置内部の用紙の状態とが予め関連付けられて定義された状態判定テーブルと、
前記用紙センサの検出値に基づいて、紙詰まりを検出するともに、紙詰まり発生時における前記用紙センサの検出値を出力する状態検出手段と、
前記状態判定テーブルを参照して、前記状態検出手段から出力された前記用紙センサの検出値のパターンに応じて各部位に存在する用紙の状態を判定する表示制御手段と、
前記判定によって得られた各部位における用紙の状態を判別可能なシンボルを表示する表示手段と
を備えたことを特徴とする印刷装置。
【請求項２】
前記シンボルは、紙詰まり原因の用紙、印刷済みの用紙及び未印刷の用紙を判別可能であることを特徴とする請求項１に記載の印刷装置。
【請求項３】
前記印刷装置は、両面印刷が可能であり、
前記シンボルは、紙詰まり原因の用紙、片面印刷済みの用紙、両面印刷済みの用紙及び未印刷の用紙を判別可能であることを特徴とする請求項１に記載の印刷装置。
【請求項４】
印刷装置内部に設けられ、用紙の存在を検出する複数の用紙センサと、前記用紙センサの検出値パターンと印刷装置内部の用紙の状態とが予め関連付けられて定義された状態判定テーブルとを備えた印刷装置上において動作する状態表示プログラムであって、
前記用紙センサの検出値に基づいて、紙詰まりを検出するともに、紙詰まり発生時における前記用紙センサの検出値を出力する状態検出処理と、
前記状態判定テーブルを参照して、前記状態検出手段から出力された前記用紙センサの検出値のパターンに応じて各部位に存在する用紙の状態を判定する表示制御処理と、
前記判定によって得られた各部位における用紙の状態を判別可能なシンボルを表示する表示処理と
をコンピュータに行わせることを特徴とする状態表示プログラム。
【発明の詳細な説明】
【技術分野】
【０００１】
本発明は、印刷装置において、紙詰まりが発生した場合に紙詰まりの状態を表示する印刷装置及び状態表示プログラムに関する。
【背景技術】
【０００２】
ユーザの必要とするジャムガイドを表示させることで、ジャム処理の効率を向上させるために、印刷装置内の複数のジャム位置を液晶パネルに示し、ユーザによって選択された１つのジャム位置に関するジャムガイドを表示させるようにして、所望のジャム位置に関するジャムガイドを表示させるようにしたジャム表示装置をが知られている。
【特許文献１】特開２００２−１８７３３２号公報
【発明の開示】
【発明が解決しようとする課題】
【０００３】
しかしながら、従来の印刷装置は、用紙が詰まった位置のみを表示するものであったため、印刷装置内部に存在する用紙が印刷済みのものであるか否かを判別できないという問題がある。特に、用紙の両面に印刷を行うことができる印刷においては、印刷装置内部に詰まっている用紙がどの印刷過程まで終了したものであるかを判別することができないという問題がある。
【０００４】
本発明は、このような事情に鑑みてなされたもので、紙詰まり発生時に印刷装置内に存在する用紙の印刷状態を表示することができる印刷装置及び状態表示プログラムを提供することを目的とする。
【課題を解決するための手段】
【０００５】
請求項１に記載の発明は、印刷装置内部に設けられ、用紙の存在を検出する複数の用紙センサと、前記用紙センサの検出値パターンと印刷装置内部の用紙の状態とが予め関連付けられて定義された状態判定テーブルと、前記用紙センサの検出値に基づいて、紙詰まりを検出するともに、紙詰まり発生時における前記用紙センサの検出値を出力する状態検出手段と、前記状態判定テーブルを参照して、前記状態検出手段から出力された前記用紙センサの検出値のパターンに応じて各部位に存在する用紙の状態を判定する表示制御手段と、前記判定によって得られた各部位における用紙の状態を判別可能なシンボルを表示する表示手段とを備えたことを特徴とする。
【０００６】
請求項２に記載の発明は、前記シンボルは、紙詰まり原因の用紙、印刷済みの用紙及び未印刷の用紙を判別可能であることを特徴とする。
【０００７】
請求項３に記載の発明は、前記印刷装置は、両面印刷が可能であり、前記シンボルは、紙詰まり原因の用紙、片面印刷済みの用紙、両面印刷済みの用紙及び未印刷の用紙を判別可能であることを特徴とする。
【０００８】
請求項４に記載の発明は、印刷装置内部に設けられ、用紙の存在を検出する複数の用紙センサと、前記用紙センサの検出値パターンと印刷装置内部の用紙の状態とが予め関連付けられて定義された状態判定テーブルとを備えた印刷装置上において動作する状態表示プログラムであって、前記用紙センサの検出値に基づいて、紙詰まりを検出するともに、紙詰まり発生時における前記用紙センサの検出値を出力する状態検出処理と、前記状態判定テーブルを参照して、前記状態検出手段から出力された前記用紙センサの検出値のパターンに応じて各部位に存在する用紙の状態を判定する表示制御処理と、前記判定によって得られた各部位における用紙の状態を判別可能なシンボルを表示する表示処理とをコンピュータに行わせることを特徴とする。
【発明の効果】
【０００９】
この発明によれば、紙詰まり発生時に用紙の位置を示す表示内容に区別をつけて、これらの用紙の印刷状態を判別することができるようにしたため、ユーザが何枚の用紙を再利用可能であるかの判別を容易に行うことができるという効果が得られる。
【発明を実施するための最良の形態】
【００１０】
以下、本発明の一実施形態による印刷装置を図面を参照して説明する。図１は同実施形態の構成を示すブロック図であり、本発明に係わる構成のみを図示したものである。この図において、符号１は、印刷動作を制御する印刷制御部である。符号２は、印刷制御部１からの指示に応じて、紙送りを行うための駆動部を制御する駆動制御部である。符号３は、印刷装置内の用紙の状態を検出する状態検出部である。符号４は、検出位置において、用紙の先端位置及び後端位置を検出するセンサである。各センサ４は、用紙の先端がセンサ４の検出エリアに差し掛かると出力がＯＮとなり、用紙がセンサ４の検出エリアにある間はＯＮ状態が持続し、用紙が通り抜けた時点（用紙の後端位置が通過した時点）で出力がＯＦＦとなる。符号５は、キーパネルで構成される入力部である。符号６は、液晶パネルで構成される表示部である。符号７は、各センサ４の検出値に応じて、紙詰まりの状態を判定する場合に参照する状態判定データが予め記憶された状態判定テーブルである。
【００１１】
次に、図２を参照して、図１に示す装置の動作を説明する。図２は、図１に示す印刷装置の動作を示すフローチャートである。ここでは、印刷装置を使用して、紙の原稿の画像読み取りを行い、この画像を印刷する複写動作を例にして説明する。
まず、使用者は、原稿をセットし、複写枚数と印刷開始の指示を入力部５において操作する。これを受けて、印刷制御部１は、この印刷指示を受け（ステップＳ１）、駆動制御部２に対して、印刷動作の開始を指示する。これにより、駆動制御部２が搬送系の制御を行い印刷（複写）が行われる（ステップＳ２）。
【００１２】
一方、状態検出部３は、印刷動作中において、各センサ４の検出値に基づいて、紙づまりが発生したか否かを判定する（ステップＳ３）。この判定は、次の３つの条件（（１）〜（３））のうち、１つでもこれらの条件を満たすものがあれば紙詰まりが発生したと判定する。
（１）所定のセンサ４がＯＦＦ状態であるはずなのにＯＮになっている（用紙が行き過ぎている）。
（２）所定のセンサ４がＯＮになるはずなのになっていない（所定時間経過しても次にＯＮになるはずのセンサ４の出力がＯＮにならない）。
（３）所定のセンサ４がＯＦＦになるはずなのになっていない（センサ４の出力がＯＮになってから所定時間経過してもセンサ出力４の出力がＯＦＦにならない）。
【００１３】
そして、紙詰まりを検出した時点で、状態検出部３は、駆動制御部２へ駆動停止を指示する。これにより、用紙搬送の駆動が停止する。用紙搬送の駆動が停止した時点で、状態検出部３は、現時点における全てのセンサ４の検出値（ＯＮまたはＯＦＦ）を印刷制御部１へ出力する。これを受けて印刷制御部１は、状態判定テーブル７を参照して、現時点の状態判定を行う（ステップＳ４）。そして、印刷制御部１は、判定によって得られた各部位の状態を示す印刷状態表示シンボルを表示部６へ表示する（ステップＳ５）。使用者は、この表示を見て、紙詰まり解除処理を行う（ステップＳ６）。
【００１４】
ここで、図３を参照して、状態の表示方法及び状態判定動作について説明する。図３は、紙詰まり発生時に表示部６に表示される画像の一例を示す図である。この図において、（Ａ）は、給紙部における紙詰まり時の印刷状態表示シンボルの表示位置を示しており、符号ａ１〜ａ８が印刷状態表示シンボルである。（Ｂ）は、搬送部における紙詰まり時の印刷状態表示シンボルの表示位置を示しており、符号ｂ１〜ｂ３が印刷状態表示シンボルである。（Ｃ）は、定着部、排紙部における紙詰まり時の印刷状態表示シンボルの表示位置を示しており、符号ｃ１が印刷状態表示シンボルである。（Ｄ）は、両面部における紙詰まり時の印刷状態表示シンボルの表示位置を示しており、符号ｄ１〜ｄ３が印刷状態表示シンボルである。（Ｅ）は、原稿送り装置における紙詰まり時の印刷状態表示シンボルの表示位置を示しており、符号ｅ１が印刷状態表示シンボルである。（Ｆ）は、ドキュメントフィニシャにおける紙詰まり時の印刷状態表示シンボルの表示位置を示しており、符号ｆ１〜ｆ４が印刷状態表示シンボルである。
【００１５】
図３に示す印刷状態表示シンボルは全て黒塗りの円のシンボルになっているが、印刷状態表示シンボルには、図３に示すように、両面未印刷の用紙が存在する位置を示すシンボル（白抜きの円）、片面印刷済みの用紙が存在する位置を示すシンボル（半分黒、半分白の円）、両面印刷済みの用紙が存在する位置を示すシンボル（黒塗りの円）、紙詰まり原因の用紙が存在する位置を示すシンボル（×）の４つのシンボルがあり、状態判定の結果に基づいて、対応するシンボルが表示される。ただし、紙詰まりがない位置では何も表示しない。
【００１６】
状態判定テーブル７には、印刷装置内部に配置された各センサ４の検出値のパターン毎に、図３に示すシンボル表示位置を示す位置識別番号と表示するシンボルのシンボル番号とが予め関連付けられて記憶されている。例えば、符号ａ６の位置（いちばん下の給紙トレイの給紙部分）のセンサ４の検出値がＯＮであり、符号ａ７の位置のセンサ４の検出値がＯＦＦの場合、符号ａ６の位置において紙詰まりが発生していることが検出できる。したがって、状態判定テーブル７には、符号ａ６の位置のセンサ４の検出値がＯＮであり、符号ａ７の位置のセンサ４の検出値がＯＦＦである検出値パターンの場合、符号ａ６の位置に対応する位置識別番号をもつシンボル表示位置において、紙詰まり原因のシンボル表示（×）に対応するシンボル番号のシンボル表示を行うことが定義されている。また、両面部（Ｄ）に搬入する場合と両面部から搬出する場合で１面目の印刷か２面目の印刷かを判定することが可能であるため、この判定結果に対応する表示シンボル（片面印刷済みのシンボルか両面未印刷のシンボルのいずれか）のシンボル番号読み出して決定する。また、定着部（Ｃ）を通過して排紙部へ達した用紙は、両面印刷済みであることを判定することができるため、この位置で止まってしまった用紙は、両面印刷済みの用紙であることが判定できるため、両面印刷済みのシンボル表示のシンボル番号が定義されている。すなわち、搬送経路が固定であり、この固定の搬送経路中に印刷を行う定着部が配置されているため、各センサ４の検出値パターンが分かれば、用紙の状態を一意に導き出すことが可能であり、この検出値パターンと用紙の位置と状態を予め定義しておけば、センサ４の検出値パターンに基づいて各シンボル表示位置に状態を示すシンボルを表示することが可能となる。
【００１７】
このように、紙詰まり発生時に用紙の位置を示す表示内容に区別をつけて、これらの用紙の印刷状態を判別することができるようにしたため、ユーザが何枚の用紙を再利用可能であるかの判別を容易に行うことができる。
【００１８】
なお、前述した例では、センサ４の設置数とシンボル表示位置の数が同数の場合を説明したが、センサ４の設置数に比べて、シンボル表示を行う位置の数が多い場合、駆動部に対して停止指示を出力してから、駆動部が完全に停止するまでの間に用紙が搬送されてしまう搬送量を考慮して、シンボルの表示位置を決定するようにしてもよい。このとき、停止指示を出した時点から、駆動部が完全に停止するまでの時間内における各センサ４の検出値の時間変化を状態検出部３内に記憶しておき、この検出値の時間変化に基づいて状態判定を行なえば、センサ４の設置数に比べて、シンボル表示を行う位置の数が多い場合であっても正確なシンボル表示を行うことが可能となる。
【００１９】
また、図１における各処理部の機能を実現するためのプログラムをコンピュータ読み取り可能な記録媒体に記録して、この記録媒体に記録されたプログラムをコンピュータシステムに読み込ませ、実行することにより状態表示処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２１】
【図１】本発明の一実施形態の構成を示すブロック図である。
【図２】図１に示す装置の動作を示すフローチャートである。
【図３】表示部６における状態表示の一例を示す説明図である。
【符号の説明】
【００２２】
１・・・印刷制御部、
２・・・駆動制御部、
３・・・状態検出部、
４・・・センサ、
５・・・入力部、
６・・・表示部、
７・・・状態判定テーブル
【図１】
2005193382.tif 000003
【図２】
2005193382.tif 000004
【図３】
2005193382.tif 000005